(57)【要約】【課題】接続端子の接触部をハウジングの後端縁に近接した位置に配設しても、接触部とカードの端子部材との接触を確実に維持することができ、後端側に端子部材が配設されたカードの挿入及び排出を容易に行うことができ、信頼性が高くなるようにする。【解決手段】接続端子は、ハウジングの後端縁に沿って配設され、ハウジングの前端縁に向って延出するカンチレバー状の接触腕部と、接触腕部の先端に接続され、カードの端子部材と接触する接触部とを備え、カバー部材は、天板部に形成されたカード押圧部を備え、カード押圧部は、カバー部材の前端縁に向って延出するカンチレバー状の接触腕部と、接触腕部の先端部とを備え、先端部の変位量は、ハウジングの後端縁に沿って配設された接続端子の接触部の変位量よりも大きい。【選択図】図１
2014049284.tif 000002
【特許請求の範囲】
【請求項１】
（ａ）端子部材を備えるカードを収容するハウジングと、
（ｂ）該ハウジングに取付けられ、前記カードの端子部材と接触する接続端子と、
（ｃ）前記ハウジングに取付けられ、少なくとも該ハウジング及び該ハウジングに挿入されたカードの一部を覆うカバー部材とを有し、
（ｄ）前記接続端子の少なくとも１つは、前記ハウジングの後端縁に沿って配設され、前記ハウジングの底壁部に取付けられた基部と、該基部に基端が連結され、該基端から前記ハウジングの前端縁に向って延出するカンチレバー状の接触腕部と、該接触腕部の先端に接続され、前記カードの端子部材と接触する接触部とを備え、
（ｅ）前記カバー部材は、前記カードにおける端子部材と反対側の面に対向する天板部と、該天板部に形成されたカード押圧部とを備え、該カード押圧部は、前記天板部に基端が連結され、該基端から前記カバー部材の前端縁に向って延出するカンチレバー状の接触腕部と、該接触腕部の先端部とを備え、該先端部の変位量は、前記ハウジングの後端縁に沿って配設された接続端子の接触部の変位量よりも大きいことを特徴とするカード用コネクタ。
【請求項２】
前記ハウジングにカードが挿入されていないとき、前記ハウジングの後端縁に沿って配設された接続端子の接触部の前記ハウジングの底壁部から前記天板部に向う突出量より、前記カード押圧部の先端部の天板部から前記底壁部に向う突出量の方が大きい請求項１に記載のカード用コネクタ。
【請求項３】
前記カード押圧部は、前記カバー部材の後端縁寄りに配設される請求項１又は２に記載のカード用コネクタ。
【請求項４】
前記接続端子は、前記ハウジングの前端縁寄りに配設された接続端子を更に含み、
前記カード押圧部の先端部は、前記ハウジングの後端縁に沿って配設された接続端子の接触部が前記カードの端子部材と接触する位置と、前記ハウジングの前端縁寄りに配設された接続端子の接触部が前記カードの端子部材と接触する位置との中間よりも、前記カバー部材の後端縁寄りの位置で前記カードにおける端子部材と反対側の面と接触する請求項３に記載のカード用コネクタ。
【請求項５】
前記ハウジングの前端縁寄りに配設された接続端子の接触部の変位量は、前記ハウジングの後端縁に沿って配設された接続端子の接触部の変位量よりも大きい請求項４に記載のカード用コネクタ。
【請求項６】
前記カード押圧部は、前記カバー部材の前端縁寄りに配設されたカード押圧部を更に含み、該カード押圧部の先端部は、前記ハウジングの後端縁に沿って配設された接続端子の接触部が前記カードの端子部材と接触する位置と、前記ハウジングの前端縁寄りに配設された接続端子の接触部が前記カードの端子部材と接触する位置との中間よりも、前記カバー部材の前端縁寄りの位置で前記カードにおける端子部材と反対側の面と接触する請求項４に記載のカード用コネクタ。
【請求項７】
前記ハウジングの前端縁寄りに配設された接続端子の接触部の変位量は、前記ハウジングの後端縁に沿って配設された接続端子の接触部の変位量と同等である請求項６に記載のカード用コネクタ。
【請求項８】
前記カード押圧部は、前記カバー部材の幅方向に複数並んで、又は、１つだけ配列されている請求項１〜７のいずれか１項に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カード用コネクタを備えている（例えば、特許文献１参照。）。
【０００３】
図１７は従来のカード用コネクタを示す図である。
【０００４】
図において、８１１は、金属材料から成るカード用コネクタのフレームであり、底板部８１１ｂを備え、図示されないメモリカードを収容する。該メモリカードは、例えば、ＳＩＭカードであって、下面に図示されない電極パッドが露出している。
【０００５】
そして、前記底板部８１１ｂには複数の第１端子保持部８１１ｃ及び第２端子保持部８１１ｄが形成され、該第１端子保持部８１１ｃ及び第２端子保持部８１１ｄの各々の中に、金属から成る第１端子８５１及び第２端子８６１が収容されて保持される。図に示される例においては、ＳＩＭカードの電極の配列に適合するように、複数の第１端子８５１及び第２端子８６１が、２列に並ぶように配列されている。
【０００６】
前記第１端子８５１は、中心が開口した長方形状の枠部８５１ａと、該枠部８５１ａにおける長方形の短辺の内縁に基端が接続され、前記開口内に延在するカンチレバー状の接点部材８５１ｂと、前記枠部８５１ａにおける長方形の短辺の外縁から外方に突出するテール部８５１ｄとを備える。また、前記第２端子８６１は、中心が開口した長方形状の枠部８６１ａと、該枠部８６１ａにおける長方形の短辺の内縁に基端が接続され、前記開口内に延在するカンチレバー状の接点部材８６１ｂと、前記枠部８６１ａにおける長方形の短辺の外縁から外方に突出するテール部８６１ｄとを備える。
【０００７】
そして、前記第１端子８５１及び第２端子８６１は、絶縁膜が施された枠部８５１ａ及び８６１ａが絶縁性接着剤によって第１端子保持部８１１ｃ及び第２端子保持部８１１ｄに接着されることにより、底板部８１１ｂに固定される。また、前記第１端子８５１及び第２端子８６１は、テール部８５１ｄ及び８６１ｄが図示されない回路基板の表面の接続パッドにはんだ付されることによって、回路基板の導電トレースと導通する。そして、前記フレーム８１１は、テール部８５１ｄ及び８６１ｄが接続パッドにはんだ付されることによって、前記回路基板の表面に固定される。
【０００８】
さらに、フレーム８１１の左右両側の側壁部８１１ｅの間を覆うようにカバー部材８７１が取付けられる。これにより、該カバー部材８７１の裏面と底板部８１１ｂの表面との間に、メモリカードを挿入する空間が形成される。
【０００９】
そして、メモリカードが前記空間に挿入されると、メモリカードの下面に露出する電極パッドの各々は、対応する第１端子８５１及び第２端子８６１の接点部材８５１ｂ及び８６１ｂと接触して導通する。この場合、カンチレバー状の接点部材８５１ｂ及び８６１ｂは、弾性的に変形し、そのばね性によってメモリカードの電極パッドに押圧されるので、該電極パッドとの接触状態を確実に維持することができる。なお、メモリカードの上面は、カバー部材８７１の裏面によって支持される。
【先行技術文献】
【特許文献】
【００１０】
【特許文献１】特開２０１２−９４４７号公報
【発明の概要】
【発明が解決しようとする課題】
【００１１】
しかしながら、前記従来のカード用コネクタにおいては、メモリカードの装着及び取外しが困難であるので、使い勝手が悪くなってしまう。そこで、利用者が片手で容易にカードの装着及び取外しを行うことができるように、カードを装着する際にも又は取外す際にも、カードを押込むように操作するプッシュ／プッシュ式のカード案内機構を有するカード用コネクタが普及している。
【００１２】
ところで、近年、電子機器の小型化に伴って、電子機器で使用されるカードも小型化が進んでいる。そして、カードが小型化すると、カードの表面に対する電極パッドの面積比率が大きくなり、電極パッドの配列態様に余裕が少なくなる。そのため、例えば、ＳＩＭカードのように電極パッドが２列に配列されたカードの場合、前列及び後列の電極パッドは、それぞれ、カードの前端及び後端に近接した位置に配列されることとなる。そうすると、プッシュ／プッシュ式のカード案内機構を有するカード用コネクタでは、カードが挿入口からカード用コネクタ内に挿入されるようになっているので、カードの後端に近接して配列された電極パッドに対応する端子の接点部材の先端部を、カード用コネクタの後端の挿入口に近接した位置に配列させる必要がある。
【００１３】
そこで、先端部ができる限り挿入口に近接するように、ばね性を発揮するカンチレバー状の接点部材がカード用コネクタの奥から挿入口に向って斜め上方に延出するように端子を取付けると、カード用コネクタの挿入口から奥に向って挿入されるカードと接触して、端子の接点部材が座屈する恐れがある。もっとも、カンチレバー状の接点部材がカード用コネクタの挿入口から奥に向って斜め上方に延出するように端子を取付けると、接点部材が座屈する恐れはなくなるが、接点部材の先端の接触部を挿入口に近接させようとして、接点部材を短くすると、ばね長が短くなり、カードの電極パッドと先端部との接触が不確実になってしまう。
【００１４】
本発明は、前記従来のカード用コネクタの問題点を解決して、接続端子の接触部をハウジングの後端縁に近接した位置に配設しても、前記接触部とカードの端子部材との接触を確実に維持することができ、後端側に端子部材が配設されたカードの挿入及び排出を容易に行うことができ、信頼性の高いカード用コネクタを提供することを目的とする。
【課題を解決するための手段】
【００１５】
そのために、本発明のカード用コネクタにおいては、端子部材を備えるカードを収容するハウジングと、該ハウジングに取付けられ、前記カードの端子部材と接触する接続端子と、前記ハウジングに取付けられ、少なくとも該ハウジング及び該ハウジングに挿入されたカードの一部を覆うカバー部材とを有し、前記接続端子の少なくとも１つは、前記ハウジングの後端縁に沿って配設され、前記ハウジングの底壁部に取付けられた基部と、該基部に基端が連結され、該基端から前記ハウジングの前端縁に向って延出するカンチレバー状の接触腕部と、該接触腕部の先端に接続され、前記カードの端子部材と接触する接触部とを備え、前記カバー部材は、前記カードにおける端子部材と反対側の面に対向する天板部と、該天板部に形成されたカード押圧部とを備え、該カード押圧部は、前記天板部に基端が連結され、該基端から前記カバー部材の前端縁に向って延出するカンチレバー状の接触腕部と、該接触腕部の先端部とを備え、該先端部の変位量は、前記ハウジングの後端縁に沿って配設された接続端子の接触部の変位量よりも大きい。
【００１６】
本発明の他のカード用コネクタにおいては、さらに、前記ハウジングにカードが挿入されていないとき、前記ハウジングの後端縁に沿って配設された接続端子の接触部の前記ハウジングの底壁部から前記天板部に向う突出量より、前記カード押圧部の先端部の天板部から前記底壁部に向う突出量の方が大きい。
【００１７】
本発明の更に他のカード用コネクタにおいては、さらに、前記カード押圧部は、前記カバー部材の後端縁寄りに配設される。
【００１８】
本発明の更に他のカード用コネクタにおいては、さらに、前記接続端子は、前記ハウジングの前端縁寄りに配設された接続端子を更に含み、前記カード押圧部の先端部は、前記ハウジングの後端縁に沿って配設された接続端子の接触部が前記カードの端子部材と接触する位置と、前記ハウジングの前端縁寄りに配設された接続端子の接触部が前記カードの端子部材と接触する位置との中間よりも、前記カバー部材の後端縁寄りの位置で前記カードにおける端子部材と反対側の面と接触する。
【００１９】
本発明の更に他のカード用コネクタにおいては、さらに、前記ハウジングの前端縁寄りに配設された接続端子の接触部の変位量は、前記ハウジングの後端縁に沿って配設された接続端子の接触部の変位量よりも大きい。
【００２０】
本発明の更に他のカード用コネクタにおいては、さらに、前記カード押圧部は、前記カバー部材の前端縁寄りに配設されたカード押圧部を更に含み、該カード押圧部の先端部は、前記ハウジングの後端縁に沿って配設された接続端子の接触部が前記カードの端子部材と接触する位置と、前記ハウジングの前端縁寄りに配設された接続端子の接触部が前記カードの端子部材と接触する位置との中間よりも、前記カバー部材の前端縁寄りの位置で前記カードにおける端子部材と反対側の面と接触する。
【００２１】
本発明の更に他のカード用コネクタにおいては、さらに、前記ハウジングの前端縁寄りに配設された接続端子の接触部の変位量は、前記ハウジングの後端縁に沿って配設された接続端子の接触部の変位量と同等である。
【００２２】
本発明の更に他のカード用コネクタにおいては、さらに、前記カード押圧部は、前記カバー部材の幅方向に複数並んで、又は、１つだけ配列されている。
【発明の効果】
【００２３】
本発明によれば、カード用コネクタは、接続端子の接触部をハウジングの後端縁に近接した位置に配設しても、前記接触部とカードの端子部材との接触を確実に維持することができ、後端側に端子部材が配設されたカードの挿入及び排出を容易に行うことができ、高い信頼性を得ることができる。
【図面の簡単な説明】
【００２４】
【図１】本発明の第１の実施の形態におけるカード用コネクタを示す斜視図であって、（ａ）はカードを挿入していない状態を示す図、（ｂ）はカードを挿入した状態を示す図である。
【図２】本発明の第１の実施の形態におけるカード用コネクタを示す二面図であって、（ａ）は上面図、（ｂ）は側面図である。
【図３】本発明の第１の実施の形態におけるカード用コネクタのシェルを取除いた状態を示す平面図である。
【図４】本発明の第１の実施の形態におけるカード用コネクタのシェルを取除いた状態を示す斜視図である。
【図５】本発明の第１の実施の形態におけるカードを挿入していない状態を説明する図であって、（ａ）は上面図、（ｂ）は（ａ）のＡ−Ａ及びＢ−Ｂ矢視拡大断面図である。
【図６】本発明の第１の実施の形態におけるカードを挿入した状態を説明する図であって、（ａ）は上面図、（ｂ）は（ａ）のＡ−Ａ及びＢ−Ｂ矢視拡大断面図である。
【図７】本発明の第２の実施の形態におけるカード用コネクタを示す斜視図である。
【図８】本発明の第３の実施の形態におけるカード用コネクタを示す斜視図であって、（ａ）はカードを挿入していない状態を示す図、（ｂ）はカードを挿入した状態を示す図である。
【図９】本発明の第３の実施の形態におけるカード用コネクタを示す二面図であって、（ａ）は上面図、（ｂ）は側面図である。
【図１０】本発明の第３の実施の形態におけるカード用コネクタのシェルを取除いた状態を示す平面図である。
【図１１】本発明の第３の実施の形態におけるカード用コネクタのシェルを取除いた状態を示す斜視図である。
【図１２】本発明の第３の実施の形態におけるカードを挿入していない状態を説明する図であって、（ａ）は上面図、（ｂ）は（ａ）のＣ−Ｃ及びＤ−Ｄ矢視拡大断面図である。
【図１３】本発明の第３の実施の形態におけるカードを挿入した状態を説明する図であって、（ａ）は上面図、（ｂ）は（ａ）のＣ−Ｃ及びＤ−Ｄ矢視拡大断面図である。
【図１４】本発明の第４の実施の形態におけるカード用コネクタを示す斜視図である。
【図１５】本発明の第５の実施の形態におけるカード用コネクタを示す斜視図である。
【図１６】本発明の第６の実施の形態におけるカード用コネクタを示す斜視図である。
【図１７】従来のカード用コネクタを示す図である。
【発明を実施するための形態】
【００２５】
以下、本発明の実施の形態について図面を参照しながら詳細に説明する。
【００２６】
図１は本発明の第１の実施の形態におけるカード用コネクタを示す斜視図、図２は本発明の第１の実施の形態におけるカード用コネクタを示す二面図、図３は本発明の第１の実施の形態におけるカード用コネクタのシェルを取除いた状態を示す平面図、図４は本発明の第１の実施の形態におけるカード用コネクタのシェルを取除いた状態を示す斜視図である。なお、図１において、（ａ）はカードを挿入していない状態を示す図、（ｂ）はカードを挿入した状態を示す図であり、図２において、（ａ）は上面図、（ｂ）は側面図である。
【００２７】
図において、１は本実施の形態におけるカード用コネクタであり、図示されない電子機器に取付けられる。そして、前記カード用コネクタ１の内部にはカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２８】
前記カード１０１は、例えば、ＳＩＭカード、マイクロＳＩＭ（ｍｉｃｒｏＳＩＭ）カード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。
【００２９】
本実施の形態において、前記カード１０１は、全体的に略矩（く）形の板状の形状を有し、図示されない前端寄りの部分の下面（上面１１１ｂの反対側の面）に、端子部材である電極パッドとしての図示されないコンタクトパッドが、複数、前端に沿って並ぶように配設されている。また、後端１１１ｒ寄りの部分の下面にも、コンタクトパッドが、複数、後端１１１ｒに沿って並ぶように配設されている。すなわち、コンタクトパッドは、カード１０１の幅方向に延在する２本の列を成すように配列されている。なお、上面１１１ｂには、コンタクトパッドは、配設されていない。
【００３０】
なお、本実施の形態において、カード用コネクタ１及びカード１０１の各部の構成及び動作を説明するために使用される上、下、左、右、前、後等の方向を示す表現は、絶対的なものでなく相対的なものであり、カード用コネクタ１、カード１０１又はそれらの部品が図に示される姿勢である場合に適切であるが、カード用コネクタ１、カード１０１又はそれらの部品の姿勢が変化した場合には、姿勢の変化に応じて変更して解釈されるべきものである。
【００３１】
ここで、前記カード用コネクタ１は、合成樹脂等の絶縁性材料によって一体的に成形されたハウジング１１と、金属等の導電性材料から成る板材に打抜き、折曲げ等の加工を施すことによって一体的に成形され、ハウジング１１の上側に取付けられたカバー部材としてのシェル７１とを有する。該シェル７１は、ハウジング１１及び該ハウジング１１に挿入されたカード１０１の少なくとも一部の上方を覆うようになっている。そして、前記カード用コネクタ１は、概略、扁（へん）平な直方体形状を備え、前記電子機器に取付けられ、後方（図１における右上方）の挿入口１８から、ハウジング１１にカード１０１が挿入される。具体的には、ハウジング１１とシェル７１との間に形成される空間内にカード１０１が挿入される。
【００３２】
図に示されるように、ハウジング１１は、略矩形の平板状部材である底壁部１１ｂと、ハウジング１１におけるカード１０１の挿入方向前方の縁部、すなわち、前端縁１１ｆに沿って延在し、底壁部１１ｂから立設する奥壁部１１ａと、底壁部１１ｂの左右の側縁に沿って前後方向に延在する側壁部１１ｅとを有する。
【００３３】
ここで、底壁部１１ｂは、接続端子のうちの後側に配設された端子である後側端子５１を保持する端子保持凹部としての後側端子保持凹部１１ｃと、接続端子のうちの前側に配設された端子である前側端子６１を保持する端子保持凹部としての前側端子保持凹部１１ｄとを備える。前記後側端子保持凹部１１ｃは、底壁部１１ｂを板厚方向に貫通する開口であり、ハウジング１１におけるカード１０１の挿入方向後方の縁部、すなわち、後端縁１１ｒに沿ってハウジング１１の幅方向に延在する列を成すように、並んで配設されている。そして、各後側端子保持凹部１１ｃ内には、後側端子５１が１つずつ収容されて保持される。また、前記前側端子保持凹部１１ｄは、底壁部１１ｂを板厚方向に貫通する開口であり、ハウジング１１の前端縁１１ｆと後端縁１１ｒとの間においてハウジング１１の幅方向に延在する列を成すように、並んで配設されている。そして、各前側端子保持凹部１１ｄ内には、前側端子６１が１つずつ収容されて保持される。
【００３４】
後側端子５１は、その基部５１ａが底壁部１１ｂに取付けられることによって、保持されている。具体的には、前記基部５１ａの少なくとも一部が底壁部１１ｂに埋込まれ、また、その他の部分が後側端子保持凹部１１ｃ内に露出している。より具体的には、後側端子５１は、いわゆるオーバーモールド成形によって、基部５１ａの少なくとも一部が、底壁部１１ｂを構成する絶縁性材料によって覆われることにより、底壁部１１ｂに埋込まれて保持されている。
【００３５】
同様に、前側端子６１も、その基部６１ａが底壁部１１ｂに取付けられることによって、保持されている。具体的には、前記基部６１ａの少なくとも一部が底壁部１１ｂに埋込まれ、また、その他の部分が前側端子保持凹部１１ｄ内に露出している。具体的には、前側端子６１は、いわゆるオーバーモールド成形によって、基部６１ａの少なくとも一部が、底壁部１１ｂを構成する絶縁性材料によって覆われることにより、底壁部１１ｂに埋込まれて保持されている。
【００３６】
そして、後側端子５１は、基部５１ａに基端が連結されたカンチレバー状の接触腕部５１ｂと、該接触腕部５１ｂの自由端、すなわち、先端に接続された接触部５１ｃとを備える。前記接触腕部５１ｂは、その基端が後端縁１１ｒ側に位置し、その先端が前端縁１１ｆに向けて斜め上方に延在し、少なくとも接触部５１ｃの上面は、カード挿入空間内にカード１０１が挿入されていない状態では、底壁部１１ｂの上面より上方に位置している。なお、接触部５１ｃは、上方に向けて突出するように湾曲された側面形状を備え、その先端は斜め下方を向いている。図３に示されるように、接触腕部５１ｂ及び接触部５１ｃは、上方から観て、後側端子保持凹部１１ｃ内に位置する。
【００３７】
同様に、前側端子６１は、基部６１ａに基端が連結されたカンチレバー状の接触腕部６１ｂと、該接触腕部６１ｂの自由端、すなわち、先端に接続された接触部６１ｃとを備える。前記接触腕部６１ｂは、その基端が後端縁１１ｒ側に位置し、その先端が前端縁１１ｆに向けて斜め上方に延在し、少なくとも接触部６１ｃの上面は、カード挿入空間内にカード１０１が挿入されていない状態では、底壁部１１ｂの上面より上方に位置している。なお、接触部６１ｃは、上方に向けて突出するように湾曲された側面形状を備え、その先端は斜め下方を向いている。図３に示されるように、接触腕部６１ｂ及び接触部６１ｃは、上方から観て、前側端子保持凹部１１ｄ内に位置する。
【００３８】
また、底壁部１１ｂは、後側端子保持凹部１１ｃの列と前側端子保持凹部１１ｄの列との間に形成された接続用凹部としてのソルダーテール収容凹部１１ｊを備える。該ソルダーテール収容凹部１１ｊは、底壁部１１ｂを板厚方向に貫通する開口であり、ハウジング１１の幅方向に延在する細長い開口である。そして、後側端子５１の基部５１ａから前方に向けて延出するソルダーテール部５１ｄの前端、及び、前側端子６１の基部６１ａから後方に向けて延出するソルダーテール部６１ｄの後端は、ソルダーテール収容凹部１１ｊ内に露出し、前記電子機器における配線基板等に形成された信号線、コンタクトパッド、端子等、すなわち、相手側端子部材に、はんだ付等によって電気的に接続される。
【００３９】
本実施の形態において、後側端子５１の接触腕部５１ｂは、その長さが、前側端子６１の接触腕部６１ｂの長さよりも短く設定されている。すなわち、後側端子５１における接触腕部５１ｂの基端から接触部５１ｃまでの距離は、前側端子６１における接触腕部６１ｂの基端から接触部６１ｃまでの距離よりも短く設定されている。これにより、後側端子５１の後端から接触部５１ｃまでの距離を短くすることができる。したがって、後側端子保持凹部１１ｃをハウジング１１の後端縁１１ｒに近接するように形成すれば、図３及び４に示されるように、前記後端縁１１ｒから接触部５１ｃまでの距離を短くすることができる。その結果、カード１０１の後端１１１ｒから該後端１１１ｒ寄りのコンタクトパッドまでの距離が短い場合であっても、図１（ｂ）に示されるように、カード用コネクタ１に挿入されたカード１０１の後端１１１ｒのハウジング１１の後端縁１１ｒから後方への突出量を小さくすることができる。また、カード１０１をカード用コネクタ１に挿入する際に、カード１０１の後端１１１ｒをハウジング１１の後端縁１１ｒよりも前方に大きく挿入する必要がない。
【００４０】
もっとも、後側端子５１は、カンチレバー状のばね部として機能する接触腕部５１ｂの長さが短い、すなわち、ばね長が短いので、ばね部の柔軟性が低く、接触部５１ｃが上下方向に柔軟に変位することが困難であり、接触部５１ｃの上下方向への変位量が小さくなる。これに対し、前側端子６１は、後側端子５１と比較して、カンチレバー状のばね部として機能する接触腕部６１ｂの長さが長い、すなわち、ばね長が長いので、ばね部の柔軟性が高く、接触部６１ｃが上下方向に柔軟に変位することができ、接触部６１ｃの上下方向への変位量が大きくなる。
【００４１】
前記後側端子５１及び前側端子６１は、接触部５１ｃ及び６１ｃが、カード用コネクタ１内に保持されたカード１０１のコンタクトパッドの各々に接触するように、配設されている。したがって、後側端子５１及び前側端子６１の数及び配置の形態は、カード１０１のコンタクトパッドの数及び配置の形態に適合するように、適宜変更される。図に示される例では、後側端子５１及び前側端子６１は、３つずつの列をそれぞれ成すように、かつ、上面から観て、矩形格子状に配列されている。
【００４２】
そして、ハウジング１１の一方（図３における左方）の側壁部１１ｅの内側には、カード案内機構収容部１１ｈ、スライドカム部２１及び付勢部材収容部１１ｇが形成されている。カード案内機構収容部１１ｈには、カード用コネクタ１内に挿入されたカード１０１を案内するためのカード案内機構のスライド部材２３が前後方向にスライド可能に取付けられている。また、前記スライドカム部２１は、プッシュ／プッシュタイプの動作を行うためのハート状カムのカム機構におけるスライドカムとして機能する部材であり、その上面には、カム溝２２が形成されている。該カム溝２２には、他端がスライド部材２３に係止されたカム部材としての細長いピン部材８１の一端が係合する。
【００４３】
さらに、前記付勢部材収容部１１ｇ内には、圧縮された状態で付勢力を発揮するコイルスプリングとしての付勢部材８２が収容される。なお、奥壁部１１ａにおける付勢部材収容部１１ｇに対応する部分の後端面は、付勢部材８２の付勢力を受ける付勢力受部として機能するとともに、付勢部材８２を係止する係止突起１１ｉが形成され、付勢部材８２の一端が取付けられている。
【００４４】
また、前記スライド部材２３は、カード１０１を保持するためのカード保持部２３ａを備える。該カード保持部２３ａは、前方に向けて延出する細長い帯状の側縁保持部２３ｂと、該側縁保持部２３ｂの先端に連結され、ハウジング１１の幅方向に延在する細長い帯状の前端保持部２３ｃとを含んでいる。そして、スライド部材２３は、カード保持部２３ａの側縁保持部２３ｂ及び前端保持部２３ｃによってカード１０１を保持し、該カード１０１とともに前後方向に移動する。また、前記スライド部材２３は、付勢部材８２の一端を係止する係止突起２３ｆを備える。これにより、前記スライド部材２３は、付勢部材８２によって、カード１０１の挿入方向と反対の方向、すなわち、カード１０１の排出方向に付勢される。
【００４５】
このようなカード案内機構を備えるカード用コネクタ１は、該カード用コネクタ１内にカード１０１を挿入する際にも、カード用コネクタ１内からカード１０１を排出する際にも、カード１０１を押込む動作を必要とする、いわゆる、プッシュインプッシュアウトタイプ、又は、プッシュ／プッシュタイプと通称されるものである。このような動作は、押ボタンスイッチの分野におけるオルタネイト動作（位置保持型、プッシュオン・プッシュオフ型）と同様のものである。前記ピン部材８１とカム溝２２とが協働することによって、カード１０１とともに移動するスライド部材２３にプッシュ／プッシュの動作を行わせるようになっている。これにより、前記カード案内機構は、カード１０１を挿入方向に押込むプッシュ動作によってカード１０１が挿入方向に移動して終端点まで到達すると、前記付勢部材８２の付勢力によって、前記カード１０１を終端点から挿入方向と反対の方向に移動させて排出することができる。また、ロック位置においては、スライド部材２３が停止し、これにより、カード１０１がカード用コネクタ１の内部に保持される。
【００４６】
前記ピン部材８１は、シェル７１のピン押え部材７５によって上から下方向に付勢されることにより保持されている。前記ピン押え部材７５は、シェル７１の一部をハウジング１１の底壁部１１ｂの方向に押圧可能に折曲げ加工することによって形成されたばね性を備える板状の部材であり、ピン部材８１は、前記ピン押え部材７５とスライド部材２３又はハウジング１１との間に位置し、スライド部材２３又はハウジング１１から離脱しないように保持されている。
【００４７】
また、前記シェル７１は、概略矩形の形状を備え、カード１０１の上面１１１ｂと対向する天板部７２と、該天板部７２の側縁の複数箇所から立設する複数の側板部７４とを有する。該側板部７４には、複数の掛止開口７３が形成され、図１及び２に示されるように、シェル７１をハウジング１１の上側に取付けると、該ハウジング１１の側壁部１１ｅ等の外側面に形成された掛止突起１３に前記掛止開口７３が掛止され、これにより、シェル７１がハウジング１１に固定される。そして、シェル７１の外方に向けて延出する固定片７８は、前記電子機器における配線基板等に形成された固定用パッド等にはんだ付等によって接続することができる。また、前記天板部７２には、前記ピン押え部材７５が形成されているとともに、周辺開口としてのピン押え周辺開口７５ａが前記ピン押え部材７５の形成によって副次的に形成されている。
【００４８】
さらに、前記天板部７２には、カード押圧部としてのシェルばね部７６が形成されているとともに、周辺開口としてのばね部周辺開口７６ａが前記シェルばね部７６の形成によって副次的に形成されている。前記シェルばね部７６は、天板部７２に基端が連結されたカンチレバー状の板部材である接触腕部７６ｂと、該接触腕部７６ｂの自由端、すなわち、先端である先端部７６ｃとを含み、該先端部７６ｃがシェル７１の前端縁７１ｆに向くように、斜め下方に延在する。そして、少なくとも先端部７６ｃの下面は、カード挿入空間内にカード１０１が挿入されていない状態では、天板部７２の下面より下方に位置している。また、前記シェルばね部７６は、シェル７１の後端縁７１ｒ寄りの位置に配設されている。具体的には、先端部７６ｃが、カード１０１の挿入方向に関して、シェル７１の前端縁７１ｆと後端縁７１ｒとの中間よりも後端縁７１ｒ寄りに位置するように、配設されている。
【００４９】
図に示される例において、シェルばね部７６は、２つであるが、１つであってもよいし、３つ以上であってもよい。なお、複数の場合には、後端縁７１ｒに沿ってシェル７１の幅方向に延在する列を成すように、並んで配設されることが望ましい。
【００５０】
そして、前記シェルばね部７６は、少なくとも先端部７６ｃが、カード用コネクタ１内に保持されたカード１０１の上面１１１ｂに接触するように、配設されている。例えば、カード１０１の挿入方向に関して、後側端子５１の接触部５１ｃがカード１０１のコンタクトパッドに接触する位置と、前側端子６１の接触部６１ｃがカード１０１のコンタクトパッドに接触する位置との中間よりも後端縁７１ｒ寄りの位置で、先端部７６ｃがカード１０１の上面１１１ｂに接触することが望ましい。また、例えば、カード１０１の挿入方向に関して、底壁部１１ｂに形成されたソルダーテール収容凹部１１ｊに対向する位置で、先端部７６ｃがカード１０１の上面１１１ｂに接触することが望ましい。
【００５１】
また、カンチレバー状のばね部として機能する前記接触腕部７６ｂは、先端部７６ｃの上下方向への変位量が、少なくとも、後側端子５１の接触部５１ｃの上下方向への変位量よりも大きくなるように設定されている。具体的には、接触腕部７６ｂの基端から先端部７６ｃまでの長さを長く、すなわち、ばね長を長くすることによって、ばね部の柔軟性を高め、先端部７６ｃが上下方向に柔軟に変位することができ、先端部７６ｃの上下方向への変位量が大きくなるように設定されている。例えば、シェルばね部７６の接触腕部７６ｂの長さが、後側端子５１の接触腕部５１ｂの長さよりも長いことが望ましい。
【００５２】
このように、シェルばね部７６がカード用コネクタ１内に保持されたカード１０１の上面１１１ｂに接触し、カード１０１を下方に向けて付勢する、すなわち、押圧するので、前記カード１０１のコンタクトパッドと、後側端子５１の接触部５１ｃ及び前側端子６１の接触部６１ｃとの接触が確実に維持される。特に、前記カード１０１のコンタクトパッドと後側端子５１の接触部５１ｃとの接触が確実に維持される。
【００５３】
また、ハウジング１１の前端縁１１ｆの近傍には、カード１０１のコンタクトパッドと後側端子５１及び前側端子６１とが接触していることを検出して、カード１０１がカード用コネクタ１に装填（てん）されていることを検出するカード検出スイッチが配設されている。該カード検出スイッチは、奥壁部１１ａ及びその近傍に取付けられた第１接点部材６２と、底壁部１１ｂに取付けられた第２接点部材６３とによって形成される。
【００５４】
前記第１接点部材６２は、奥壁部１１ａに取付けられた取付部６２ａ、基端が前記取付部６２ａに接続され、横方向に向けて延出するカンチレバー状の本体部６２ｂ、及び、該本体部６２ｂの自由端に接続された接触部６２ｃを有する。前記取付部６２ａは奥壁部１１ａの側面とほぼ平行となり、本体部６２ｂは、カード１０１がカード用コネクタ１に挿入されていない状態においては、奥壁部１１ａの側面に対して傾斜し、接触部６２ｃは、カード１０１の挿入方向に関して手前側、すなわち、後方に位置する。そして、カード１０１が挿入されると、該カード１０１の前端が本体部６２ｂに当接する。
【００５５】
一方、前記第２接点部材６３は、底壁部１１ｂにおける奥壁部１１ａ寄りの部分に取付けられた平板状の取付部６３ａと、基端が前記取付部６３ａに接続され、横方向に向けて延出するカンチレバー状の本体部６３ｂ、及び、該本体部６２ｂの自由端に接続された接触部６３ｃを有する。前記取付部６３ａは底壁部１１ｂの上面とほぼ平行となり、本体部６３ｂも、カード１０１がカード用コネクタ１に挿入されていない状態においては、底壁部１１ｂの上面とほぼ平行となり、接触部６３ｃは、奥壁部１１ａ寄りに位置する。
【００５６】
そして、カード１０１が挿入されていない状態においては、図３及び４に示されるように、第１接点部材６２と第２接点部材６３とが非接触となっており、カード検出スイッチは非導通状態、すなわち、オフ（ＯＦＦ）になっている。
【００５７】
しかし、カード１０１が挿入され、そのコンタクトパッドと後側端子５１及び前側端子６１とが接触する位置に到達すると、カード１０１の前端によって第１接点部材６２のカンチレバー状の本体部６２ｂが奥壁部１１ａの方向に向けて押されて変位し、第１接点部材６２の接触部６２ｃが第２接点部材６３の接触部６３ｃと接触する。これにより、第１接点部材６２と第２接点部材６３とが接触状態となり、カード検出スイッチは導通状態、すなわち、オン（ＯＮ）になる。
【００５８】
次に、前記構成のカード用コネクタ１の動作について説明する。まず、カード１０１を挿入する場合の動作について説明する。
【００５９】
図５は本発明の第１の実施の形態におけるカードを挿入していない状態を説明する図、図６は本発明の第１の実施の形態におけるカードを挿入した状態を説明する図である。なお、図５及び６において、（ａ）は上面図、（ｂ）は（ａ）のＡ−Ａ及びＢ−Ｂ矢視拡大断面図である。
【００６０】
図５に示されるように、カード挿入空間内にカード１０１が挿入されていない状態では、後側端子５１の接触腕部５１ｂ及び前側端子６１の接触腕部６１ｂは、その先端が前端縁１１ｆに向けて斜め上方に延在し、後側端子５１の少なくとも接触部５１ｃの上面及び前側端子６１の少なくとも接触部６１ｃの上面は、底壁部１１ｂの上面より上方に位置している。なお、後側端子５１の接触腕部５１ｂが短いので、後側端子５１の接触部５１ｃが底壁部１１ｂの上面より上方へ突出する量は、わずかである。一方、前側端子６１の接触腕部６１ｂが長いので、前側端子６１の接触部６１ｃが底壁部１１ｂの上面より上方へ突出する量は、後側端子５１の接触部５１ｃと比較して大きくなっている。
【００６１】
また、シェルばね部７６の接触腕部７６ｂは、その先端が前端縁７１ｆに向けて斜め下方に延在し、シェルばね部７６の少なくとも先端部７６ｃの下面は、天板部７２の下面より下方に位置している。そして、シェルばね部７６の先端部７６ｃが天板部７２の下面より下方へ突出する量は、後側端子５１の接触部５１ｃが底壁部１１ｂの上面より上方へ突出する量よりも大きくなっている。
【００６２】
まず、利用者が手指等によってカード１０１をカード用コネクタ１の後方の挿入口１８からハウジング１１とシェル７１との間に形成されるカード挿入空間内に挿入する。なお、カード１０１は、前端がハウジング１１の前端縁１１ｆの方を向き、下面が底壁部１１ｂと対向し、上面１１１ｂがシェル７１の天板部７２と対向するような姿勢で挿入される。これにより、カード１０１は、カード案内機構収容部１１ｈに沿って進行する。
【００６３】
続いて、利用者がカード１０１をプッシュして更に押込むと、スライド部材２３の側縁保持部２３ｂ及び前端保持部２３ｃがカード１０１の側縁及び前端を保持するので、前記カード１０１は、スライド部材２３によって保持され、該スライド部材２３とともに、奥壁部１１ａに向けて移動する。この際、利用者の手指等が発揮する押圧力は、カード１０１の前端から前端保持部２３ｃを介してスライド部材２３に伝達される。そして、該スライド部材２３がコイルスプリングから成る付勢部材８２を圧縮するので、スライド部材２３及びカード１０１は、付勢部材８２の反発力を受けるが、該反発力が利用者の手指等が発揮する押圧力よりも小さいので、前記反発力に抗して移動する。この場合、スライド部材２３はカード案内機構収容部１１ｈに沿ってスライドし、カード１０１はスライド部材２３とともに進行する。そして、スライド部材２３及びカード１０１は、最も前進した位置であるオーバーストローク位置に到達してオーバーストローク状態となる。
【００６４】
続いて、利用者がカード１０１をプッシュする動作を止め、カード１０１に対する押圧力を解除すると、付勢部材８２の反発力によって、スライド部材２３及びカード１０１は奥壁部１１ａから離脱する向きに、すなわち、後方に向けて移動させられる。そして、スライド部材２３及びカード１０１は、カード用コネクタ１内でカード１０１をロックした状態で保持するロック位置で停止する。これは、スライドカム部２１の上面に形成されたカム溝２２と係合しているピン部材８１の自由端が、カム溝２２の一部に掛止されてスライド部材２３の動きを停止させることによって、スライド部材２３を前記ロック位置で停止させているからである。
【００６５】
そして、カード１０１は、ロック位置に保持されることによって、カード用コネクタ１が実装された電子機器の演算手段等との間でデータの送受信を行うことができる状態となる。なお、カード１０１がロック位置に保持されている場合、図６に示されるような状態になり、カード用コネクタ１の後側端子５１及び前側端子６１は、その接触部５１ｃ及び６１ｃが、カード１０１のコンタクトパッドの各々に接触して導通している。
【００６６】
ここで、前側端子６１の接触腕部６１ｂの長さは比較的長く設定され、ばね長が長いので、カンチレバー状のばね部として機能する接触腕部６１ｂの柔軟性が高く、接触部６１ｃの上下方向への変位量が大きい。そのため、図６に示されるように、接触部６１ｃがカード１０１によって下方に変位させられた状態では、弾性的に変形させられたばね部である接触腕部６１ｂが大きなばね力を発揮するので、接触部６１ｃは大きな力で、カード１０１のコンタクトパッドを上方に付勢する、すなわち、押圧する。したがって、前側端子６１の接触部６１ｃと該接触部６１ｃに対応するカード１０１のコンタクトパッドとの接触は、確実に維持される。
【００６７】
一方、後側端子５１の接触腕部５１ｂの長さは比較的短く設定され、ばね長が短いので、カンチレバー状のばね部として機能する接触腕部５１ｂの柔軟性が低く、接触部５１ｃの上下方向への変位量が小さい。そのため、図６に示されるように、接触部５１ｃがカード１０１によって下方に変位させられた状態では、弾性的に変形させられたばね部である接触腕部５１ｂが比較的小さなばね力しか発揮しないので、接触部５１ｃは小さな力で、カード１０１のコンタクトパッドを上方に付勢する、すなわち、押圧することになる。
【００６８】
しかし、シェルばね部７６の接触腕部７６ｂの長さは比較的長く設定され、ばね長が長いので、カンチレバー状のばね部として機能する接触腕部７６ｂの柔軟性が高く、先端部７６ｃの上下方向への変位量が後側端子５１の接触部５１ｃの上下方向への変位量よりも大きい。そのため、図６に示されるように、先端部７６ｃがカード１０１によって上方に変位させられた状態では、弾性的に変形させられたばね部である接触腕部７６ｂが大きなばね力を発揮するので、先端部７６ｃを含む接触腕部７６ｂは大きな力で、カード１０１を下方に付勢する、すなわち、押圧する。
【００６９】
ここで、シェルばね部７６は、シェル７１の後端縁７１ｒ寄りの位置に配設されている。図に示される例では、カード１０１の挿入方向に関して、後側端子５１の接触部５１ｃがカード１０１のコンタクトパッドに接触する位置と、前側端子６１の接触部６１ｃがカード１０１のコンタクトパッドに接触する位置との中間よりも後端縁７１ｒ寄りの位置で、かつ、底壁部１１ｂに形成されたソルダーテール収容凹部１１ｊに対向する位置で、先端部７６ｃがカード１０１の上面１１１ｂに接触するようになっている。これにより、シェルばね部７６がカード１０１を下方に付勢する力は、前側端子６１の接触部６１ｃがカード１０１のコンタクトパッドに接触する位置よりも、後側端子５１の接触部５１ｃがカード１０１のコンタクトパッドに接触する位置に、より大きく作用することになる。
【００７０】
したがって、後側端子５１の接触部５１ｃとカード１０１のコンタクトパッドとは、後側端子５１の接触腕部５１ｂが発揮する付勢力とシェルばね部７６が発揮する付勢力とを合せた力によって、互いに押圧し合うことになるので、後側端子５１の接触部５１ｃと該接触部５１ｃに対応するカード１０１のコンタクトパッドとの接触は、確実に維持される。
【００７１】
なお、シェルばね部７６がカード１０１を下方に付勢する力の幾分かは、前側端子６１の接触部６１ｃがカード１０１のコンタクトパッドに接触する位置にも作用するので、前側端子６１の接触部６１ｃとカード１０１のコンタクトパッドとも、前側端子６１の接触腕部６１ｂが発揮する付勢力とシェルばね部７６が発揮する付勢力の幾分かとを合せた力によって、互いに押圧し合うことになる。したがって、前側端子６１の接触部６１ｃと該接触部６１ｃに対応するカード１０１のコンタクトパッドとの接触は、より確実に維持される。
【００７２】
また、カード検出スイッチの第１接点部材６２の本体部６２ｂは、カード１０１の前端によって前方に押出されて変位し、前記本体部６２ｂの自由端に接続された接触部６２ｃが第２接点部材６３の接触部６３ｃと接触している。これにより、第１接点部材６２と第２接点部材６３とが接触状態となり、カード検出スイッチはオンになっている。
【００７３】
ところで、利用者がカード１０１をプッシュする際には、通常、手指等によってカード１０１の後端１１１ｒを押すことになる。仮に、ハウジング１１の底壁部１１ｂが前後方向に長く形成され、後端縁１１ｒの位置が、ロック位置で保持されているカード１０１の後端１１１ｒの位置よりも後方であると、利用者がカード１０１をプッシュしてロック位置よりも前方のオーバーストローク位置にまで前進させる際に、手指等がハウジング１１の後端縁１１ｒに当接してしまい、プッシュする動作が行いにくくなる。すなわち、操作性が低下してしまう。
【００７４】
しかし、本実施の形態におけるカード用コネクタ１では、前述のように、後端縁１１ｒから後側端子保持凹部１１ｃ内の後側端子５１の接触部５１ｃまでの距離を短くすることができるので、カード１０１の後端１１１ｒから該後端１１１ｒ寄りのコンタクトパッドまでの距離が短い場合であっても、カード１０１をオーバーストローク位置にまで前進させる際に、カード１０１の後端１１１ｒを後端縁１１ｒよりも前方に大きく挿入する必要がない。したがって、操作性が低下することがない。
【００７５】
次に、カード１０１をカード用コネクタ１から排出させる動作について説明する。
【００７６】
まず、利用者が手指等によってカード１０１をプッシュして押込むと、スライド部材２３及びカード１０１は、ロック位置から奥壁部１１ａに向けて移動させられる。そして、利用者がカード１０１をプッシュして更に押込むと、スライド部材２３及びカード１０１は、最も前進した位置であるオーバーストローク位置に到達してオーバーストローク状態となる。
【００７７】
続いて、利用者がカード１０１をプッシュする動作を止め、該カード１０１に対する押込力を解除すると、付勢部材８２の付勢力によって、オーバーストローク位置に位置しているスライド部材２３及びカード１０１は、奥壁部１１ａから離脱する向きに移動させられ、挿入方向と反対の方向に移動させられる。そして、スライド部材２３及びカード１０１は、ロック位置を通過して後方に向けて更に移動し、カード１０１が挿入口１８から排出される。
【００７８】
このように、本実施の形態において、カード用コネクタ１は、コンタクトパッドを備えるカード１０１を収容するハウジング１１と、ハウジング１１に取付けられ、カード１０１のコンタクトパッドと接触する後側端子５１及び前側端子６１と、ハウジング１１に取付けられ、少なくともハウジング１１及びハウジング１１に挿入されたカード１０１の一部を覆うシェル７１とを有する。そして、後側端子５１は、ハウジング１１の後端縁１１ｒに沿って配設され、ハウジング１１の底壁部１１ｂに取付けられた基部５１ａと、基部５１ａに基端が連結され、基端からハウジング１１の前端縁１１ｆに向って延出するカンチレバー状の接触腕部５１ｂと、接触腕部５１ｂの先端に接続され、カード１０１のコンタクトパッドと接触する接触部５１ｃとを備え、シェル７１は、カード１０１の上面１１１ｂに対向する天板部７２と、天板部７２に形成されたシェルばね部７６とを備え、シェルばね部７６は、天板部７２に基端が連結され、基端からシェル７１の前端縁７１ｆに向って延出するカンチレバー状の接触腕部７６ｂと、接触腕部７６ｂの先端部７６ｃとを備え、先端部７６ｃの変位量は、ハウジング１１の後端縁１１ｒに沿って配設された後側端子５１の接触部５１ｃの変位量よりも大きい。
【００７９】
これにより、カード用コネクタ１は、後側端子５１の接触部５１ｃをハウジング１１の後端縁１１ｒに近接した位置に配設することができ、カード１０１の後端１１１ｒから後端１１１ｒ寄りのコンタクトパッドまでの距離が短い場合であっても、カード１０１をカード用コネクタ１に挿入する際に、カード１０１の後端１１１ｒを後端縁１１ｒよりも前方に大きく挿入する必要がないので、カード１０１の挿入及び排出を容易に行うことができ、操作性が向上する。また、シェルばね部７６がカード１０１をハウジング１１の底壁部１１ｂに向けて付勢するので、後側端子５１の接触部５１ｃとカード１０１のコンタクトパッドとの接圧が高くなり、接触が確実に維持されので、信頼性を高くすることができる。
【００８０】
また、ハウジング１１にカード１０１が挿入されていないとき、ハウジング１１の後端縁１１ｒに沿って配設された後側端子５１の接触部５１ｃのハウジング１１の底壁部１１ｂから天板部７２に向う突出量より、シェルばね部７６の先端部７６ｃの天板部７２から底壁部１１ｂに向う突出量の方が大きい。したがって、後側端子５１の接触部５１ｃの変位量よりもシェルばね部７６の先端部７６ｃの変位量の方が大きく、シェルばね部７６の接触腕部７６ｂが大きなばね力を発揮するので、シェルばね部７６は大きな力で、カード１０１を下方に付勢する、すなわち、押圧することができる。
【００８１】
さらに、シェルばね部７６は、シェル７１の後端縁７１ｒ寄りに配設される。したがって、後側端子５１の接触部５１ｃとカード１０１のコンタクトパッドとは、後側端子５１の接触腕部５１ｂが発揮する付勢力とシェルばね部７６が発揮する付勢力とを合せた力によって、互いに押圧し合うことになるので、後側端子５１の接触部５１ｃと接触部５１ｃに対応するカード１０１のコンタクトパッドとの接触は、確実に維持される。
【００８２】
さらに、ハウジング１１の前端縁１１ｆ寄りに配設された前側端子６１を更に含み、シェルばね部７６の先端部７６ｃは、後側端子５１の接触部５１ｃがカード１０１のコンタクトパッドと接触する位置と、前側端子６１の接触部６１ｃがカード１０１のコンタクトパッドと接触する位置との中間よりも、シェル７１の後端縁７１ｒ寄りの位置でカード１０１の上面１１１ｂと接触する。したがって、シェルばね部７６がカード１０１を下方に付勢する力の幾分かは、前側端子６１の接触部６１ｃがカード１０１のコンタクトパッドに接触する位置にも作用するので、前側端子６１の接触部６１ｃとカード１０１のコンタクトパッドとも、前側端子６１の接触腕部６１ｂが発揮する付勢力とシェルばね部７６が発揮する付勢力の幾分かとを合せた力によって、互いに押圧し合うことになる。
【００８３】
さらに、前側端子６１の接触部６１ｃの変位量は、後側端子５１の接触部５１ｃの変位量よりも大きい。したがって、前側端子６１の接触部６１ｃと接触部６１ｃに対応するカード１０１のコンタクトパッドとの接触は、確実に維持される。
【００８４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００８５】
図７は本発明の第２の実施の形態におけるカード用コネクタを示す斜視図である。
【００８６】
本実施の形態におけるシェルばね部７６は、図に示されるように、１つ、すなわち、単数である。そして、前記シェルばね部７６は、天板部７２に基端が連結されたカンチレバー状の板部材である一対の接触腕部７６ｂと、該一対の接触腕部７６ｂの自由端同士を連結する連結部７６ｄと、前記接触腕部７６ｂの自由端であって、前記連結部７６ｄの自由端でもある先端部７６ｃとを含んでいる。なお、前記一対の接触腕部７６ｂのそれぞれは、第１接触腕部７６ｂ１及び第２接触腕部７６ｂ２と識別される。また、天板部７２と、第１接触腕部７６ｂ１及び第２接触腕部７６ｂ２と、連結部７６ｄとによって周囲を画定されたばね部内開口７６ｅが形成され、前記シェルばね部７６は、略コ字状乃至Ｕ字状の平面形状を備えている。
【００８７】
なお、カード用コネクタ１のその他の点の構造及び動作については、前記第１の実施の形態と同様であるので、その説明を省略する。
【００８８】
このように、本実施の形態においては、シェルばね部７６が単数であるが、カード用コネクタ１の幅方向に延在する連結部７６ｄの自由端が先端部７６ｃとして機能するので、接触腕部７６ｂが発揮するばね力を、カード挿入空間内に挿入されたカード１０１の上面１１１ｂにおける幅方向の広い範囲に付勢力として、付与することができる。また、接触腕部７６ｂが第１接触腕部７６ｂ１と第２接触腕部７６ｂ２とに分かれているので、カンチレバー状のばね部として機能する第１接触腕部７６ｂ１及び第２接触腕部７６ｂ２のそれぞれの幅を狭くすることができ、ばね部の柔軟性を高くすることができる。その他の点の効果については、前記第１の実施の形態と同様であるので、その説明を省略する。
【００８９】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００９０】
図８は本発明の第３の実施の形態におけるカード用コネクタを示す斜視図、図９は本発明の第３の実施の形態におけるカード用コネクタを示す二面図、図１０は本発明の第３の実施の形態におけるカード用コネクタのシェルを取除いた状態を示す平面図、図１１は本発明の第３の実施の形態におけるカード用コネクタのシェルを取除いた状態を示す斜視図である。なお、図８において、（ａ）はカードを挿入していない状態を示す図、（ｂ）はカードを挿入した状態を示す図であり、図９において、（ａ）は上面図、（ｂ）は側面図である。
【００９１】
本実施の形態における後側端子５１は、前記第１の実施の形態と同様に、接触腕部５１ｂの長さが短く設定されているので、後側端子５１の後端から接触部５１ｃまでの距離を短くすることができる。したがって、後側端子保持凹部１１ｃをハウジング１１の後端縁１１ｒに近接するように形成すれば、図１０及び１１に示されるように、前記後端縁１１ｒから接触部５１ｃまでの距離を短くすることができる。その結果、カード１０１の後端１１１ｒから該後端１１１ｒ寄りのコンタクトパッドまでの距離が短い場合であっても、図８（ｂ）に示されるように、カード用コネクタ１に挿入されたカード１０１の後端１１１ｒのハウジング１１の後端縁１１ｒから後方への突出量を小さくすることができる。また、カード１０１をカード用コネクタ１に挿入する際に、カード１０１の後端１１１ｒをハウジング１１の後端縁１１ｒよりも前方に大きく挿入する必要がない。
【００９２】
もっとも、カンチレバー状のばね部として機能する接触腕部５１ｂの長さが短い、すなわち、ばね長が短いので、ばね部の柔軟性が低く、接触部５１ｃが上下方向に柔軟に変位することが困難であり、接触部５１ｃの上下方向への変位量が小さくなる。
【００９３】
本実施の形態においては、前側端子６１も、後側端子５１と同様に、接触腕部６１ｂの長さが短く設定されている。図１０に示されるように、前側端子６１の接触腕部６１ｂの長さは、後側端子５１の接触腕部５１ｂの長さと同程度に設定されている。したがって、カード１０１の挿入方向に関する前側端子６１の配置位置の自由度が増加し、カード用コネクタ１の設計自由度が増加する。また、カード用コネクタ１の長さを短くすることもできる。
【００９４】
もっとも、本実施の形態においては、前側端子６１も、後側端子５１と同様に、カンチレバー状のばね部として機能する接触腕部６１ｂの長さが短い、すなわち、ばね長が短いので、ばね部の柔軟性が低く、接触部６１ｃが上下方向に柔軟に変位することが困難であり、接触部６１ｃの上下方向への変位量が小さくなる。そのため、接触部６１ｃがカード１０１によって下方に変位させられた状態では、後側端子５１と同様に、弾性的に変形させられたばね部である接触腕部６１ｂが小さなばね力しか発揮しないので、接触部６１ｃは小さな力で、カード１０１のコンタクトパッドを上方に付勢する、すなわち、押圧することになる。
【００９５】
そこで、本実施の形態においては、シェル７１の天板部７２における前端縁７１ｆ寄りの位置にも、シェルばね部７６が形成されている。つまり、本実施の形態において、シェルばね部７６は、後端縁７１ｒ寄りの位置だけでなく、前端縁７１ｆ寄りの位置にも配設され、カード用コネクタ１の幅方向に延在する２本の列を成すように配列されている。
【００９６】
前端縁７１ｆ寄りの位置に配設されたシェルばね部７６、すなわち、前側のシェルばね部７６は、後端縁７１ｒ寄りの位置に配設されたシェルばね部７６、すなわち、後側のシェルばね部７６と同様の構造を有するので、その構造についての説明は省略する。
【００９７】
前側のシェルばね部７６は、カード１０１の挿入方向に関して、後側端子５１の接触部５１ｃがカード１０１のコンタクトパッドに接触する位置と、前側端子６１の接触部６１ｃがカード１０１のコンタクトパッドに接触する位置との中間よりも前端縁７１ｆ寄りの位置で、先端部７６ｃがカード１０１の上面１１１ｂに接触することが望ましい。また、前側のシェルばね部７６は、カード１０１の挿入方向に関して、前側端子６１の接触部６１ｃがカード１０１のコンタクトパッドに接触する位置よりも前端縁７１ｆ寄りの位置で、先端部７６ｃがカード１０１の上面１１１ｂに接触することがより望ましい。
【００９８】
なお、その他の点の構造については、前記第１の実施の形態と同様であるので、その説明を省略する。
【００９９】
次に、本実施の形態におけるカード用コネクタ１の動作について説明する。
【０１００】
図１２は本発明の第３の実施の形態におけるカードを挿入していない状態を説明する図、図１３は本発明の第３の実施の形態におけるカードを挿入した状態を説明する図である。なお、図１２及び１３において、（ａ）は上面図、（ｂ）は（ａ）のＣ−Ｃ及びＤ−Ｄ矢視拡大断面図である。
【０１０１】
図１２に示されるように、カード挿入空間内にカード１０１が挿入されていない状態では、後側端子５１の接触腕部５１ｂ及び前側端子６１の接触腕部６１ｂは、その先端が前端縁１１ｆに向けて斜め上方に延在し、後側端子５１の少なくとも接触部５１ｃの上面及び前側端子６１の少なくとも接触部６１ｃの上面は、底壁部１１ｂの上面より上方に位置している。なお、後側端子５１の接触腕部５１ｂ及び前側端子６１の接触腕部６１ｂがともに短いので、後側端子５１の接触部５１ｃ及び前側端子６１の接触部６１ｃが底壁部１１ｂの上面より上方へ突出する量は、ともにわずかである。
【０１０２】
また、後側のシェルばね部７６の接触腕部７６ｂ及び前側のシェルばね部７６の接触腕部７６ｂは、ともに、その先端が前端縁７１ｆに向けて斜め下方に延在し、後側のシェルばね部７６の少なくとも先端部７６ｃの下面及び前側のシェルばね部７６の少なくとも先端部７６ｃの下面は、ともに天板部７２の下面より下方に位置している。そして、後側のシェルばね部７６の先端部７６ｃ及び前側のシェルばね部７６の先端部７６ｃが天板部７２の下面より下方へ突出する量は、ともに、後側端子５１の接触部５１ｃ及び前側端子６１の接触部６１ｃが底壁部１１ｂの上面より上方へ突出する量よりも大きくなっている。
【０１０３】
なお、利用者がカード１０１をカード用コネクタ１の後方の挿入口１８からハウジング１１とシェル７１との間に形成されるカード挿入空間内に挿入する動作については、前記第１の実施の形態と同様であるので、その説明を省略する。
【０１０４】
挿入されたカード１０１がロック位置に保持されている場合、図１３に示されるような状態になり、カード用コネクタ１の後側端子５１及び前側端子６１は、その接触部５１ｃ及び６１ｃが、カード１０１のコンタクトパッドの各々に接触して導通している。
【０１０５】
本実施の形態において、後側端子５１の接触腕部５１ｂ及び前側端子６１の接触腕部６１ｂの長さは、ともに短く設定され、ばね長が短いので、カンチレバー状のばね部として機能する接触腕部５１ｂ及び６１ｂの柔軟性が低く、接触部５１ｃ及び６１ｃの上下方向への変位量が小さい。そのため、図１３に示されるように、接触部５１ｃ及び６１ｃがカード１０１によって下方に変位させられた状態では、弾性的に変形させられたばね部である接触腕部５１ｂ及び６１ｂが比較的小さなばね力しか発揮しないので、接触部５１ｃ及び６１ｃは小さな力で、カード１０１のコンタクトパッドを上方に付勢する、すなわち、押圧することになる。
【０１０６】
しかし、後側のシェルばね部７６の接触腕部７６ｂ及び前側のシェルばね部７６の接触腕部７６ｂの長さはともに長く設定され、ばね長が長いので、カンチレバー状のばね部として機能する接触腕部７６ｂの柔軟性が高く、先端部７６ｃの上下方向への変位量が後側端子５１の接触部５１ｃ及び前側端子６１の接触部６１ｃの上下方向への変位量よりも大きい。そのため、図１３に示されるように、先端部７６ｃがカード１０１によって上方に変位させられた状態では、弾性的に変形させられたばね部である接触腕部７６ｂが大きなばね力を発揮するので、先端部７６ｃを含む接触腕部７６ｂは大きな力で、カード１０１を下方に付勢する、すなわち、押圧する。
【０１０７】
ここで、後側のシェルばね部７６はシェル７１の後端縁７１ｒ寄りの位置に配設され、前側のシェルばね部７６はシェル７１の前端縁７１ｆ寄りの位置に配設されている。図に示される例では、カード１０１の挿入方向に関して、後側端子５１の接触部５１ｃがカード１０１のコンタクトパッドに接触する位置と、前側端子６１の接触部６１ｃがカード１０１のコンタクトパッドに接触する位置との中間よりも後端縁７１ｒ寄りの位置で、かつ、底壁部１１ｂに形成されたソルダーテール収容凹部１１ｊに対向する位置で、後側のシェルばね部７６の先端部７６ｃがカード１０１の上面１１１ｂに接触するようになっている。また、カード１０１の挿入方向に関して、後側端子５１の接触部５１ｃがカード１０１のコンタクトパッドに接触する位置と、前側端子６１の接触部６１ｃがカード１０１のコンタクトパッドに接触する位置との中間よりも前端縁７１ｆ寄りの位置で、かつ、前側端子６１の接触部６１ｃがカード１０１のコンタクトパッドに接触する位置よりも前端縁７１ｆ寄りの位置で、前側のシェルばね部７６の先端部７６ｃがカード１０１の上面１１１ｂに接触するようになっている。
【０１０８】
これにより、後側のシェルばね部７６がカード１０１を下方に付勢する力は、前側端子６１の接触部６１ｃがカード１０１のコンタクトパッドに接触する位置よりも、後側端子５１の接触部５１ｃがカード１０１のコンタクトパッドに接触する位置に、より大きく作用し、前側のシェルばね部７６がカード１０１を下方に付勢する力は、後側端子５１の接触部５１ｃがカード１０１のコンタクトパッドに接触する位置よりも、前側端子６１の接触部６１ｃがカード１０１のコンタクトパッドに接触する位置に、より大きく作用することになる。
【０１０９】
したがって、後側端子５１の接触部５１ｃとカード１０１のコンタクトパッドとは、後側端子５１の接触腕部５１ｂが発揮する付勢力と後側のシェルばね部７６が発揮する付勢力とを合せた力によって、互いに押圧し合うことになるので、後側端子５１の接触部５１ｃと該接触部５１ｃに対応するカード１０１のコンタクトパッドとの接触は、確実に維持される。また、前側端子６１の接触部６１ｃとカード１０１のコンタクトパッドとは、前側端子６１の接触腕部６１ｂが発揮する付勢力と前側のシェルばね部７６が発揮する付勢力とを合せた力によって、互いに押圧し合うことになるので、前側端子６１の接触部６１ｃと該接触部６１ｃに対応するカード１０１のコンタクトパッドとの接触は、確実に維持される。
【０１１０】
なお、カード１０１をカード用コネクタ１から排出させる動作については、前記第１の実施の形態と同様であるので、その説明を省略する。
【０１１１】
このように、本実施の形態においては、シェル７１の前端縁７１ｆ寄りに配設された前側のシェルばね部７６を更に含み、前側のシェルばね部７６の先端部７６ｃは、後側端子５１の接触部５１ｃがカード１０１のコンタクトパッドと接触する位置と、前側端子６１の接触部６１ｃがカード１０１のコンタクトパッドと接触する位置との中間よりも、シェル７１の前端縁７１ｆ寄りの位置でカード１０１の上面１１１ｂと接触する。したがって、前側端子６１の接触部６１ｃとカード１０１のコンタクトパッドとは、前側端子６１の接触腕部６１ｂが発揮する付勢力と前側のシェルばね部７６が発揮する付勢力とを合せた力によって、互いに押圧し合うことになるので、前側端子６１の接触部６１ｃと該接触部６１ｃに対応するカード１０１のコンタクトパッドとの接触は、確実に維持される。
【０１１２】
また、前側端子６１の接触部６１ｃの変位量は、後側端子５１の接触部５１ｃの変位量と同等である。したがって、前側端子６１の接触腕部６１ｂの長さを、後側端子５１の接触腕部５１ｂの長さと同程度に設定することができ、カード１０１の挿入方向に関する前側端子６１の配置位置の自由度が増加し、カード用コネクタ１の設計自由度が増加する。また、カード用コネクタ１の長さを短くすることもできる。
【０１１３】
なお、その他の点の効果については、前記第１の実施の形態と同様であるので、その説明を省略する。
【０１１４】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【０１１５】
図１４は本発明の第４の実施の形態におけるカード用コネクタを示す斜視図である。
【０１１６】
本実施の形態においては、図に示されるように、シェル７１の天板部７２における前端縁７１ｆ寄りの位置にも、シェルばね部７６が１つ形成されている。つまり、本実施の形態において、シェルばね部７６は、後端縁７１ｒ寄りの位置、及び、前端縁７１ｆ寄りの位置に、１つずつ配設されている。
【０１１７】
そして、後側のシェルばね部７６及び前側のシェルばね部７６は、それぞれ、前記第２の実施の形態におけるシェルばね部７６と同様の構造を有し、天板部７２に基端が連結されたカンチレバー状の板部材である一対の接触腕部７６ｂと、該一対の接触腕部７６ｂの自由端同士を連結する連結部７６ｄと、前記接触腕部７６ｂの自由端であって、前記連結部７６ｄの自由端でもある先端部７６ｃとを含んでいる。
【０１１８】
なお、その他の点については、前記第３の実施の形態と同様であるので、その説明を省略する。
【０１１９】
次に、本発明の第５の実施の形態について説明する。なお、第１〜第４の実施の形態と同じ構造を有するものについては、同じ符号を付与することによってその説明を省略する。また、前記第１〜第４の実施の形態と同じ動作及び同じ効果についても、その説明を省略する。
【０１２０】
図１５は本発明の第５の実施の形態におけるカード用コネクタを示す斜視図である。
【０１２１】
本実施の形態においては、図に示されるように、シェルばね部７６は、後端縁７１ｒ寄りの位置、及び、前端縁７１ｆ寄りの位置に配設されている。そして、後側のシェルばね部７６は、前記第１及び第３の実施の形態におけるシェルばね部７６と同様の構造を有し、天板部７２に基端が連結されたカンチレバー状の板部材である接触腕部７６ｂと、該接触腕部７６ｂの自由端、すなわち、先端である先端部７６ｃとを含み、２つ並んで配設されている。また、前側のシェルばね部７６は、前記第２及び第４の実施の形態におけるシェルばね部７６と同様の構造を有し、天板部７２に基端が連結されたカンチレバー状の板部材である一対の接触腕部７６ｂと、該一対の接触腕部７６ｂの自由端同士を連結する連結部７６ｄと、前記接触腕部７６ｂの自由端であって、前記連結部７６ｄの自由端でもある先端部７６ｃとを含み、１つである。
【０１２２】
なお、その他の点については、前記第３の実施の形態と同様であるので、その説明を省略する。
【０１２３】
次に、本発明の第６の実施の形態について説明する。なお、第１〜第５の実施の形態と同じ構造を有するものについては、同じ符号を付与することによってその説明を省略する。また、前記第１〜第５の実施の形態と同じ動作及び同じ効果についても、その説明を省略する。
【０１２４】
図１６は本発明の第６の実施の形態におけるカード用コネクタを示す斜視図である。
【０１２５】
本実施の形態においては、図に示されるように、シェルばね部７６は、後端縁７１ｒ寄りの位置、及び、前端縁７１ｆ寄りの位置に配設されている。そして、後側のシェルばね部７６は、前記第２及び第４の実施の形態におけるシェルばね部７６と同様の構造を有し、天板部７２に基端が連結されたカンチレバー状の板部材である一対の接触腕部７６ｂと、該一対の接触腕部７６ｂの自由端同士を連結する連結部７６ｄと、前記接触腕部７６ｂの自由端であって、前記連結部７６ｄの自由端でもある先端部７６ｃとを含み、１つである。また、前側のシェルばね部７６は、前記第１及び第３の実施の形態におけるシェルばね部７６と同様の構造を有し、天板部７２に基端が連結されたカンチレバー状の板部材である接触腕部７６ｂと、該接触腕部７６ｂの自由端、すなわち、先端である先端部７６ｃとを含み、２つ並んで配設されている。
【０１２６】
なお、その他の点については、前記第３の実施の形態と同様であるので、その説明を省略する。
【０１２７】
また、本発明は前記実施の形態に限定されるものではなく、本発明の趣旨に基づいて種々変形させることが可能であり、それらを本発明の範囲から排除するものではない。
【産業上の利用可能性】
【０１２８】
本発明は、カード用コネクタに適用することができる。
【符号の説明】
【０１２９】
１    カード用コネクタ
１１    ハウジング
１１ａ    奥壁部
１１ｂ    底壁部
１１ｃ    後側端子保持凹部
１１ｄ    前側端子保持凹部
１１ｅ、８１１ｅ    側壁部
１１ｆ、７１ｆ    前端縁
１１ｇ    付勢部材収容部
１１ｈ    カード案内機構収容部
１１ｉ、２３ｆ    係止突起
１１ｊ    ソルダーテール収容凹部
１１ｒ、７１ｆ    後端縁
１３    掛止突起
１８    挿入口
２１    スライドカム部
２２    カム溝
２３    スライド部材
２３ａ    カード保持部
２３ｂ    側縁保持部
２３ｃ    前端保持部
５１    後側端子
５１ａ、６１ａ    基部
５１ｂ、６１ｂ、７６ｂ    接触腕部
５１ｃ、６１ｃ、６２ｃ、６３ｃ    接触部
５１ｄ、６１ｄ    ソルダーテール部
６１    前側端子
６２    第１接点部材
６２ａ、６３ａ    取付部
６２ｂ、６３ｂ    本体部
６３    第２接点部材
７１    シェル
７２    天板部
７３    掛止開口
７４    側板部
７５    ピン押え部材
７５ａ    ピン押え周辺開口
７６    シェルばね部
７６ａ    ばね部周辺開口
７６ｂ１    第１接触腕部
７６ｂ２    第２接触腕部
７６ｃ    先端部
７６ｄ    連結部
７６ｅ    ばね部内開口
７８    固定片
８１    ピン部材
８２    付勢部材
１０１    カード
１１１ｂ    上面
１１１ｒ    後端
８１１    フレーム
８１１ｂ    底板部
８１１ｃ    第１端子保持部
８１１ｄ    第２端子保持部
８５１    第１端子
８５１ａ、８６１ａ    枠部
８５１ｂ、８６１ｂ    接点部材
８５１ｄ、８６１ｄ    テール部
８６１    第２端子
８７１    カバー部材
【図１】
2014049284.tif 000003
【図２】
2014049284.tif 000004
【図３】
2014049284.tif 000005
【図４】
2014049284.tif 000006
【図５】
2014049284.tif 000007
【図６】
2014049284.tif 000008
【図７】
2014049284.tif 000009
【図８】
2014049284.tif 000010
【図９】
2014049284.tif 000011
【図１０】
2014049284.tif 000012
【図１１】
2014049284.tif 000013
【図１２】
2014049284.tif 000014
【図１３】
2014049284.tif 000015
【図１４】
2014049284.tif 000016
【図１５】
2014049284.tif 000017
【図１６】
2014049284.tif 000018
【図１７】
2014049284.tif 000019